(57)【要約】      （修正有）【課題】湾曲動作可能であり、螺旋の中心としてのアクチュエータ長軸方向以外の方向への曲げに対する自由な動きを許容できるアクチュエータ、アクチュエータ装置、およびアクチュエータの駆動方法を提供する。【解決手段】非円筒形状の断面を有する中空の筒体１を備え、筒体は、筒体の長軸に沿って位置する空間を内部に有し、筒体は、アクチュエータ長軸を中心に螺旋に巻回されたコイル形状を有し、筒体の外周面及び内周面の少なくとも一方には溝１ｇが形成され、溝は、筒体の長軸に沿って捩られたように延びており、筒体は、第１部分１４と第２部分１５とを有し、第１部分と第２部分とは捩りの方向が反対であり、第１部分と第２部分とは繰り返し位置している。【選択図】図１
2018115754.tif 000002
【特許請求の範囲】
【請求項１】
中空の筒体を備え、
前記筒体は、前記筒体の長軸に沿って位置する空間を内部に有し、
前記筒体は、アクチュエータ長軸を中心に螺旋に巻回されたコイル形状を有し、
前記筒体の外周面及び内周面の少なくとも一方には溝が形成され、
前記溝は、前記筒体の前記長軸に沿って捩られたように延びており、
前記筒体は、第１部分と第２部分とを有し、前記第１部分と前記第２部分とは捩りの方向が反対であり、前記第１部分と前記第２部分とは繰り返し位置している、
アクチュエータ。
【請求項２】
前記筒体に対する媒体を加減して圧力変化を、前記筒体の前記アクチュエータ長軸に対する湾曲動作に変換する、請求項１に記載のアクチュエータ。
【請求項３】
前記溝は、前記アクチュエータ長軸周りの１８０度毎に境界部を介して捩じり方向の向きを逆転させるように捩じられており、前記境界部の位置は、前記アクチュエータ長軸沿いに一直線状に配置されている、請求項１又は２に記載のアクチュエータ。
【請求項４】
前記筒体は、基端と先端とでは厚さが異なる、請求項１〜３のいずれか１つに記載のアクチュエータ。
【請求項５】
前記筒体の前記非円筒形状は、断面形状に溝部を有し、前記溝部の深さが基端と先端とでは異なる、請求項１〜３のいずれか１つに記載のアクチュエータ。
【請求項６】
前記筒体のコイル形状の外形は円錐形状である、請求項１〜５のいずれか１つに記載のアクチュエータ。
【請求項７】
アクチュエータと圧力源とを備えるアクチュエータ装置であって、
前記アクチュエータは、非円筒形状の断面を有する中空の筒体を備え、
前記筒体は、前記筒体の長軸に沿って位置する空間を内部に有し、
前記筒体は、アクチュエータ長軸を中心に螺旋に巻回されたコイル形状を有し、
前記筒体の外周面及び内周面の少なくとも一方には溝が形成され、
前記溝は、前記筒体の前記長軸に沿って捩られたように延びており、
前記筒体は、第１部分と第２部分とを有し、前記第１部分と前記第２部分とは捩りの方向が反対であり、前記第１部分と前記第２部分とは繰り返し位置し、
前記圧力源は、
（ａ１）前記筒体の内部の圧力を増加させることにより、前記アクチュエータを前記アクチュエータ長軸沿いの真っ直ぐな状態から前記アクチュエータ長軸に対して湾曲した状態に湾曲動作させ、
（ａ２）前記筒体の前記内部の前記圧力を減少させることにより、前記アクチュエータを前記湾曲した状態から前記真っ直ぐな状態に戻す、
アクチュエータ装置。
【請求項８】
前記圧力源は、
前記（ａ１）において、前記筒体の前記内部に媒体を注入することにより、前記アクチュエータの圧力を増加させ、
前記（ａ２）において、前記筒体の前記内部から前記媒体を排出することにより、前記アクチュエータの圧力を減少させる、
請求項７に記載のアクチュエータ装置。
【請求項９】
アクチュエータの駆動方法であって、
（ｂ１）アクチュエータを準備し、
前記アクチュエータは、非円筒形状の断面を有する中空の筒体を備え、
前記筒体は、前記筒体の長軸に沿って位置する空間を内部に有し、
前記筒体は、アクチュエータ長軸を中心に螺旋に巻回されたコイル形状を有し、
前記筒体の外周面及び内周面の少なくとも一方には溝が形成され、
前記溝は、前記筒体の前記長軸に沿って捩られたように延びており、
前記筒体は、第１部分と第２部分とを有し、前記第１部分と前記第２部分とは捩りの方向が反対であり、前記第１部分と前記第２部分とは繰り返し位置し、
（ｂ２）前記筒体の内部の媒体の圧力を増加させて、前記アクチュエータを前記アクチュエータ長軸沿いの真っ直ぐな状態から前記アクチュエータ長軸に対して湾曲した状態に湾曲動作させる、
を含む、アクチュエータの駆動方法。
【請求項１０】
さらに、（ｂ３）前記筒体の内部の媒体の圧力を減少させて、前記アクチュエータを前記湾曲した状態から前記真っ直ぐな状態に戻す、
を含む、請求項９に記載のアクチュエータの駆動方法。
【発明の詳細な説明】
【技術分野】
【０００１】
本発明は、圧力変化を湾曲動作に変換するアクチュエータ、アクチュエータ装置、およびアクチュエータの駆動方法に関するものである。
【背景技術】
【０００２】
家庭用ロボットなど人間に近い場所において動作する機械に対する要求の高まりに伴い、人間の筋肉のように軽量かつ柔軟な特徴を備える人工筋肉アクチュエータへの期待も大きくなっている。人工筋肉アクチュエータと呼ばれるアクチュエータには様々な種類があるが、多くのアクチュエータは、軽量かつ柔軟という特徴に適合しやすいゴム状弾性材料の変形を用いたアクチュエータである。
【０００３】
ゴム状弾性材料の変形を用いたアクチュエータの一つとして、流体の圧力により伸縮するマッキベン型のアクチュエータが知られている（例えば、非特許文献１参照）。
【０００４】
そのような非特許文献１の従来のマッキベン型のアクチュエータは、網組構造で補強されたゴムチューブでアクチュエータを覆うことにより構成されている。圧縮流体がアクチュエータに供給されると、アクチュエータは縮むように動作する（特許文献１参照）。
【０００５】
湾曲動作可能なアクチュエータとしては、繊維状のベロー内にゴムチューブを挿入することによって得られ、ベローの一側部に補強繊維テープを貼り付けて両側部の中の一側部への膨張を規制するものが知られている（非特許文献１参照）。
【先行技術文献】
【特許文献】
【０００６】
【特許文献１】米国特許 2,844,126号
【非特許文献】
【０００７】
【非特許文献１】Noritsugu, Toshiro. "Pneumatic soft actuator for human assist technology." ２００５年１１月７〜１０日に開催された第６回JFPSフルードパワー国際シンポジウムの配布論文
【発明の概要】
【発明が解決しようとする課題】
【０００８】
しかしながら、マッキベン型のアクチュエータは、内部の流体圧力を増減させることで軸方向に伸縮するが、ゴムチューブの内部が加圧されると、全方向への自由な動きが阻害されてしまうという問題がある。
【０００９】
また、非特許文献１の膨張規制型のゴムチューブにより湾曲動作可能な前記したアクチュエータでは、内圧が増加するとき、アクチュエータが硬くなってしまい、湾曲方向以外の方向への曲げに対応することができない。
【００１０】
そこで、本発明は、湾曲動作可能であり、螺旋の中心としてのアクチュエータ長軸方向以外の方向への曲げに対する自由な動きを許容できるアクチュエータ、アクチュエータ装置、およびアクチュエータの駆動方法を提供する。
【課題を解決するための手段】
【００１１】
本発明の一態様に係るアクチュエータは、
中空の筒体を備え、
前記筒体は、前記筒体の長軸に沿って位置する空間を内部に有し、
前記筒体は、アクチュエータ長軸を中心に螺旋に巻回されたコイル形状を有し、
前記筒体の外周面及び内周面の少なくとも一方には溝が形成され、
前記溝は、前記筒体の前記長軸に沿って捩られたように延びており、
前記筒体は、第１部分と第２部分とを有し、前記第１部分と前記第２部分とは捩りの方向が反対であり、前記第１部分と前記第２部分とは繰り返し位置している。
【００１２】
なお、これらの包括的かつ特定の態様は、システム、方法、並びに、システム及び方法の任意の組み合わせにより実現してもよい。
【発明の効果】
【００１３】
本発明の前記態様にかかるアクチュエータ、アクチュエータ装置、およびアクチュエータの駆動方法は、筒体に対する媒体の加減による圧力変化により、捩じり方向の向きが互いに異なる部分のうちの一方の部分の捩じれがきつくなって剛性が高くなり、剛性が高くなった部分が互いに接近する。一方、残りの他方の部分の捩じれが緩んで剛性が低くなる。このような動作により、アクチュエータ長軸に対してアクチュエータが湾曲動作可能となり、螺旋の中心としてのアクチュエータ長軸方向以外の方向への曲げに対する自由な動きを許容できる。
【図面の簡単な説明】
【００１４】
【図１】本発明の一実施形態のアクチュエータ装置の概略図
【図２】アクチュエータ装置のアクチュエータの詳細図
【図３】アクチュエータ装置のアクチュエータの上方から見た斜視図
【図４】図３とは異なる角度の上方から見た斜視図
【図５】アクチュエータの上面図
【図６】アクチュエータ装置の動作のフローチャート
【図７Ａ】アクチュエータの湾曲動作の説明図
【図７Ｂ】アクチュエータの湾曲動作の説明図
【図７Ｃ】アクチュエータの湾曲動作の説明図
【図７Ｄ】アクチュエータの湾曲動作の説明図
【図７Ｅ】アクチュエータの湾曲動作の説明図
【図７Ｆ】アクチュエータの湾曲動作の説明図
【図７Ｇ】アクチュエータの湾曲動作の説明図
【図８Ａ】アクチュエータの湾曲動作の発生原因を説明するための説明図
【図８Ｂ】アクチュエータの湾曲動作の発生原因を説明するための説明図
【図９Ａ】螺旋の長軸沿いの外力に対する動作の原理の説明図
【図９Ｂ】螺旋の長軸沿いの外力に対する動作の原理の説明図
【図１０Ａ】本発明の別の実施形態のアクチュエータの異なる変形状態を説明するための動作図
【図１０Ｂ】本発明の別の実施形態のアクチュエータの異なる変形状態を説明するための動作図
【図１０Ｃ】本発明の別の実施形態のアクチュエータの異なる変形状態を説明するための動作図
【図１１】本発明のさらに別の実施形態のアクチュエータの非円筒形状の筒体の螺旋形状を示す説明図
【図１２Ａ】本発明のさらに別の実施形態のアクチュエータの非円筒形状の例を示す説明図
【図１２Ｂ】本発明のさらに別の実施形態のアクチュエータの非円筒形状の例を示す説明図
【図１２Ｃ】本発明のさらに別の実施形態のアクチュエータの非円筒形状の例を示す説明図
【図１３Ａ】本発明のさらに別の実施形態のアクチュエータの非円筒形状の例を示す説明図
【図１３Ｂ】本発明のさらに別の実施形態のアクチュエータの非円筒形状の例を示す説明図
【図１３Ｃ】本発明のさらに別の実施形態のアクチュエータの非円筒形状の例を示す説明図
【発明を実施するための形態】
【００１５】
以下に、本発明にかかる実施の形態を図面に基づいて詳細に説明する。
【００１６】
以下、図面を参照して本発明における実施形態を詳細に説明する前に、本発明の種々の態様について説明する。
【００１７】
本発明の第１の態様によれば、
中空の筒体を備え、
前記筒体は、前記筒体の長軸に沿って位置する空間を内部に有し、
前記筒体は、アクチュエータ長軸を中心に螺旋に巻回されたコイル形状を有し、
前記筒体の外周面及び内周面の少なくとも一方には溝が形成され、
前記溝は、前記筒体の前記長軸に沿って捩られたように延びており、
前記筒体は、第１部分と第２部分とを有し、前記第１部分と前記第２部分とは捩りの方向が反対であり、前記第１部分と前記第２部分とは繰り返し位置している。
【００１８】
この構成によれば、筒体に対する媒体の加減による圧力変化により、捩じり方向の向きが互いに異なる部分のうちの一方の部分の捩じれがきつくなって剛性が高くなり、剛性が高くなった部分が互いに接近する。一方、残りの他方の部分の捩じれが緩んで剛性が低くなる。このような動作により、アクチュエータ長軸に対してアクチュエータが湾曲動作可能となり、螺旋の中心としてのアクチュエータ長軸方向以外の方向への曲げに対する自由な動きを許容できる。
【００１９】
本発明の第２の態様によれば、
前記筒体に対する媒体を加減して圧力変化を、前記筒体の前記アクチュエータ長軸に対する湾曲動作に変換する、第１の態様に記載のアクチュエータを提供する。
【００２０】
本発明の第３の態様によれば、
前記溝は、前記アクチュエータ長軸周りの１８０度毎に境界部を介して捩じり方向の向きを逆転させるように捩じられており、前記境界部の位置は、前記アクチュエータ長軸沿いに一直線状に配置されている、第１又は２の態様に記載のアクチュエータを提供する。
【００２１】
この構成によれば、アクチュエータ長軸に沿ったアクチュエータの変形では、アクチュエータの内部空間の体積の変動が限定される一方、境界部間での角度を変更するアクチュエータの変形では、アクチュエータの内部体積を大きく変動させることができる。このため、アクチュエータ内の圧力が変わると、アクチュエータは湾曲動作（境界部間での角度の変化など）として反応し、アクチュエータのアクチュエータ長軸に沿った動きはない。
【００２２】
本発明の第４の態様によれば、
前記筒体は、基端と先端とでは厚さが異なる、第１〜３のいずれか１つの態様に記載のアクチュエータを提供する。
【００２３】
この構成によれば、筒体の基端と先端とで厚さを異ならせることにより、先端での変形量を調整することができる。さらに、筒体の基端を先端よりも厚くして頑丈にすれば、アクチュエータの動作時に振動が少なくなる一方、先端が基端より薄いので、例えばアクチュエータが把持に使用されるときなど先端が外部の物体に接触するとき、安全でかつより穏やかな動作を保証できる。
【００２４】
本発明の第５の態様によれば、
前記筒体の前記非円筒形状は、断面形状に溝部を有し、前記溝部の深さが基端と先端とでは異なる、第１〜３のいずれか１つの態様に記載のアクチュエータを提供する。
【００２５】
この構成によれば、筒体の基端と先端とで溝の深さを異ならせることにより、先端での変形量を調整することができる。また、溝は、アクチュエータのいずれの側が、より強く変形するかについての容易な視覚的な手がかりとなり、アクチュエータを頻繁に取り換える必要があるとき、メインテナンス動作を単純化することができる。
【００２６】
本発明の第６の態様によれば、
前記筒体のコイル形状の外形は円錐形状である、第１〜５のいずれか１つの態様に記載のアクチュエータを提供する。
【００２７】
この構成によれば、大きくて頑丈な基端部と組み合わせると、先端の質量を小さくすることができる効果がある。
【００２８】
本発明の第７の態様によれば、
アクチュエータと圧力源とを備えるアクチュエータ装置であって、
前記アクチュエータは、中空の筒体を備え、
前記筒体は、前記筒体の長軸に沿って位置する空間を内部に有し、
前記筒体は、アクチュエータ長軸を中心に螺旋に巻回されたコイル形状を有し、
前記筒体の外周面及び内周面の少なくとも一方には溝が形成され、
前記溝は、前記筒体の前記長軸に沿って捩られたように延びており、
前記筒体は、第１部分と第２部分とを有し、前記第１部分と前記第２部分とは捩りの方向が反対であり、前記第１部分と前記第２部分とは繰り返し位置し、
前記圧力源は、
（ａ１）前記筒体の内部の圧力を増加させることにより、前記アクチュエータを前記アクチュエータ長軸沿いの真っ直ぐな状態から前記アクチュエータ長軸に対して湾曲した状態に湾曲動作させ、
（ａ２）前記筒体の前記内部の前記圧力を減少させることにより、前記アクチュエータを前記湾曲した状態から前記真っ直ぐな状態に戻す、
アクチュエータ装置を提供する。
【００２９】
この構成によれば、第１の態様と同様な効果を奏することができる。
【００３０】
本発明の第８の態様によれば、
前記圧力源は、
前記（ａ１）において、前記筒体の前記内部に媒体を注入することにより、前記アクチュエータの圧力を増加させ、
前記（ａ２）において、前記筒体の前記内部から前記媒体を排出することにより、前記アクチュエータの圧力を減少させる、
第７の態様に記載のアクチュエータ装置を提供する。
【００３１】
この構成によれば、圧力変化を、アクチュエータの変形に変換することができる。
【００３２】
本発明の第９の態様によれば、
アクチュエータの駆動方法であって、
（ｂ１）アクチュエータを準備し、
前記アクチュエータは、中空の筒体を備え、
前記筒体は、前記筒体の長軸に沿って位置する空間を内部に有し、
前記筒体は、アクチュエータ長軸を中心に螺旋に巻回されたコイル形状を有し、
前記筒体の外周面及び内周面の少なくとも一方には溝が形成され、
前記溝は、前記筒体の前記長軸に沿って捩られたように延びており、
前記筒体は、第１部分と第２部分とを有し、前記第１部分と前記第２部分とは捩りの方向が反対であり、前記第１部分と前記第２部分とは繰り返し位置し、
（ｂ２）前記筒体の内部の媒体の圧力を増加させて、前記アクチュエータを前記アクチュエータ長軸沿いの真っ直ぐな状態から前記アクチュエータ長軸に対して湾曲した状態に湾曲動作させる、
を含む、アクチュエータの駆動方法を提供する。
【００３３】
この構成によれば、第１の態様と同様な効果を奏することができる。
【００３４】
本発明の第１０の態様によれば、
さらに、（ｂ３）前記筒体の内部の媒体の圧力を減少させて、前記アクチュエータを前記湾曲した状態から前記真っ直ぐな状態に戻す、
を含む、第９の態様に記載のアクチュエータの駆動方法を提供する。
【００３５】
この構成によれば、アクチュエータの内部の流体を加圧するときのみ外部の圧力源が必要となる。反対方向の流体の移動は、アクチュエータが元の変形していない形状にアクチュエータが戻ることによって達成される。
【００３６】
（本発明の基礎となった知見）
本発明者は、「背景技術」の欄において記載した、マッキベン型のアクチュエータに関し、以下の問題が生じることを見出した。
【００３７】
マッキベン型のアクチュエータは、ゴムチューブで構成されているため、元々、曲げ方向に対する柔軟性を備えているが、この柔軟性はゴムチューブの内圧が高まるほど減少し、曲げに対する剛性が高まっていく。曲げ剛性が高くなるのは、アクチュエータを曲げることで、ゴムチューブの内部空間に容積変化を引き起こすためであると考えられる。アクチュエータを曲げるには、内部空間の流体を圧縮すると共に、その圧縮力に応じた変形をゴムチューブに発生させなければならず、曲げに必要な力は、内部空間の圧力が高いほど増加する。
【００３８】
このような特性は、曲げ剛性を利用した物体の把持動作などでは有用だが、例えば、アクチュエータを衣服状のアシストウェアに備え付けた場合に問題となる。すなわち、アクチュエータを腕又は脚などの人体形状に沿って曲げて取り付けた場合において、アクチュエータを伸縮させようとして流体を加圧すると、軸方向の力だけでなく、人体形状に沿った曲げを解消する力も発生する。そのため、このアクチュエータを備え付けることで、軸方向への力をアシストすることはできるが、曲げ方向への自由な動きが阻害されるという問題がある。
【００３９】
このような問題を解決するために、本発明の一態様に係るアクチュエータは、
中空の筒体を備え、
前記筒体は、前記筒体の長軸に沿って位置する空間を内部に有し、
前記筒体は、アクチュエータ長軸を中心に螺旋に巻回されたコイル形状を有し、
前記筒体の外周面及び内周面の少なくとも一方には溝が形成され、
前記溝は、前記筒体の前記長軸に沿って捩られたように延びており、
前記筒体は、第１部分と第２部分とを有し、前記第１部分と前記第２部分とは捩りの方向が反対であり、前記第１部分と前記第２部分とは繰り返し位置している。
【００４０】
この構成によれば、筒体に対する媒体の加減による圧力変化により、捩じり方向の向きが互いに異なる部分のうちの一方の部分の捩じれがきつくなって剛性が高くなり、剛性が高くなった部分が互いに接近する。一方、残りの他方の部分の捩じれが緩んで剛性が低くなる。このような動作により、アクチュエータ長軸に対してアクチュエータが湾曲動作可能となり、螺旋の中心としてのアクチュエータ長軸方向以外の方向への曲げに対する自由な動きを許容できる。
【００４１】
以下、実施の形態について、図面を参照しながら説明する。
【００４２】
なお、以下で説明する実施の形態は、いずれも包括的または具体的な例を示すものである。以下の実施の形態で示される、数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４３】
（実施の形態１）
まず、図１〜図４を参照しながらアクチュエータ装置７２の全体構成を説明する。図１に示すアクチュエータ装置７２は、アクチュエータ７１と、圧力源７とを備える。アクチュエータ装置７２は、圧力源７の圧力の加減の変化をアクチュエータ７１のアクチュエータ長軸Ａ１に対する湾曲動作に変換する。
【００４４】
アクチュエータ７１は、圧力変化を湾曲動作に変換するために使用する弾性を有する中空の管状構造体である筒体１で構成されている。筒体１は、筒体１の長軸Ａ２に沿って形成されている空間６をその内部に有する。筒体１は、図３に示すように、アクチュエータ７１のアクチュエータ長軸Ａ１を中心に螺旋形状に巻回されてコイル形状を有している。言い換えると、筒体１はコイルの形状を有するように折り畳まれている。コイルの形状の一例は、円筒である。
【００４５】
筒体１の外周面１ａ及び内周面１ｂの少なくとも一方には溝１ｇが形成されている。溝１ｇは、筒体１の長軸Ａ２に沿って捩られたように延び、かつ、アクチュエータ長軸Ａ１周りの１８０度毎に捩じり方向の向きを逆転させるように捩じられている。言い換えれば、筒体１は、第１部分と第２部分とを有している。第１部分と第２部分とは捩りの方向が反対であり、第１部分と第２部分とは繰り返し位置するように構成している。このように、１８０度毎に捩じり方向の向きを逆転させる場合には、例えば、各第１部分を湾曲動作時の内側部分とし、各第２部分を湾曲動作時の外側部分とすることができて、安定した湾曲動作を繰り返し発揮することができ、優れた湾曲特性を発揮することができる。これに対して、１８０度とは異なる角度毎に捩じり方向の向きを逆転させている場合には、湾曲動作時に、アクチュエータ長軸方向沿いに伸び縮みが発生してしまうとともに、アクチュエータ長軸に外力を与えると、前記１８０度の場合ほど、柔軟性を持てないものとなる。
【００４６】
筒体１の内部には、媒体が充填される。媒体の例は、液体及び気体を含む流体である。液体の一例は水であり、気体の一例は空気である。筒体１の一端は、例えば、シールキャップ１３により閉塞されているか、又は、固定具に接続されて閉塞されている。一方、筒体１の他端は、流体供給用接続部として、接続金具１２で、筒体１を配管８に接続している。この配管８は、圧力源７に接続されている。
【００４７】
圧力源７は、流体の例である水などの圧縮流体（図２参照）を筒体１に供給するポンプなどで構成し、流体供給の加減により圧力を制御して、アクチュエータ７１をアクチュエータ長軸Ａ１沿いに伸縮させることなく、アクチュエータ長軸Ａ１に対する湾曲度合を制御することができる。
【００４８】
このアクチュエータ７１の構成については、後で詳しく説明する。
【００４９】
圧力源７は、配管８を介してアクチュエータ７１の筒体１の内部の流体を増加させ又は減少させることで、アクチュエータ７１の筒体１の内部の圧力を増加又は減少させて、アクチュエータ７１を湾曲状態ＩＩと真直状態Ｉとの間で動作させる。
【００５０】
圧力源７の一例は、ポンプである。ポンプの具体例としては、シリンジポンプ（往復ポンプ）などが用いられる。シリンジポンプの一例は、円筒形のシリンジと、可動式の押子と、押子の位置を制御する制御部とを有するポンプである。シリンジ及び押子は注射器のように作用する。シリンジ内部を押子で加圧して、シリンジの内部空間から流体を送り出す。また、シリンジ内部を押子で減圧して流体を回収する。シリンジポンプを作動することで、アクチュエータ７１の筒体１の内部に充填される流体の量を調節（変化）して、筒体１の内部の圧力を調節することができる。
【００５１】
「筒体１の内部に充填される流体の量を調節（変化）する」とは「筒体１の内部に充填される流体の単位体積あたりの密度を調整（変化）する」と解してもよい。「流体の圧力を増加させること」は、「単位体積あたりの流体の量を増やすこと」であってもよい。「流体の圧力を減少させること」は、「単位体積あたりの流体の量を減らすこと」であってもよい。
【００５２】
配管８は、圧力源７とアクチュエータ７１を接続して、流体の流出入の経路となるチューブ状の部材である。配管８は、アクチュエータ７１の作動時の応答性を上げるため、アクチュエータ７１よりも耐圧性を有するものを用いることができる。なお、圧力源７とクチュエータ７１を直結する場合は、配管８を用いなくてもよい。また、配管８を分岐し、１つの圧力源７に複数のアクチュエータ７１を連結してもよい。
【００５３】
次に、本実施の形態に係るアクチュエータ７１について、より詳細に説明する。
【００５４】
図２〜図４にアクチュエータ７１の具体例を示す。
【００５５】
アクチュエータ７１は、弾性を有する中空の筒体１が、螺旋に巻回されたコイル形状（すなわち、螺旋形状）をしている。
【００５６】
図２に示すように、アクチュエータ７１の筒体１の軸心Ａ２と直交する面の断面形状は非円形の外形２とし、筒体１を非円筒状部材としている。非円形の外形２の一例としては、桜の花のような形状であって、筒体１の内周面１ａと外周面１ｂの両方に互い違いになるように、内向き凸部１ｃと外向き凸部１ｄとを交互に周方向に設けている。このように非円形の外形２とする理由は、筒体１を円筒で構成してしまうと、流体を筒体内に加減して供給するとき、筒体１の長軸Ａ２周りの３６０度の全ての部分に均等に圧力が作用してしまい、筒体１がアクチュエータ長軸Ａ１に対して湾曲するように曲がる動作を発揮できないためである。筒体１を非円形とすることで、流体を筒体内に加減して供給するとき、筒体１の長軸Ａ２周りにおいて不均一に圧力が作用し、筒体１がアクチュエータ長軸Ａ１に対して湾曲するように曲がる動作を発揮することができる。
【００５７】
また、図３及び図４に示すように、例えば、筒体１は、アクチュエータ７１の長軸Ａ１を中心に上端から下端に向かって反時計回り（左巻き）に巻回されてコイル形状を形成している。一例として、コイル形状の外形は円筒状としている。なお、筒体１の螺旋形状は、左巻きに限定するものではなく、右巻きとすることもできる。
【００５８】
筒体１の外周面１ｂには、筒体１の軸心Ａ２を中心軸として、螺旋状に捩じれた溝１ｇが複数設けられている。言い換えると、溝１ｇは、筒体１の長軸の周りに沿って捩られたように延びている。本実施の形態では、筒体１の螺旋形状はアクチュエータ長軸Ａ１に対して左巻きであり、螺旋状に捩じれた溝１ｇは、軸心Ａ２に対して左巻きに捩じられた円弧部分１４と、軸心Ａ２に対して右巻きに捩じられた円弧部分１５とが交互に配置されて構成されている。すなわち、筒体１の螺旋形状の巻き方向と溝１ｇの捩じり方向とが一致している部分１４と、逆になっている部分１５とが、アクチュエータ長軸Ａ１回りの１８０度の円弧部分毎に交互に配置されて、溝１ｇが構成されている。
【００５９】
左巻きに捩じられた円弧部分１４と右巻きに捩じられた円弧部分１５との境界部の一例である境界面５は、筒体１の長軸Ａ２に対して直交するのではなく傾斜した傾斜面としている。境界面５の位置は、傾斜角度が１８０度毎に交互に傾きが変わるような傾斜面となっているが、大まかに言えば、図４に示すように、アクチュエータ長軸Ａ１沿いに一直線状に配置されている。ここで、「一直線状に配置」とは、大略一直線状に配置していることを意味する。
【００６０】
本実施の形態では、筒体１の材料の例としてナイロンが用いられている。ただし、本発明では、この材料に限られるものではなく、各種樹脂材料又は金属材料を用いることができる。筒体１の材料は、必要とされる耐圧性、柔軟性、又は流体に対する耐性（耐薬品性、耐溶剤性、又は耐油性）などを考慮して適宜選択される。例えば、筒体１の材料として、剛性の高いエンジニアリングプラスチック又は金属材料を用いることで、アクチュエータ７１の動作を高圧でかつ低流量で行うことができ、流体の流れに伴う損失を低減できる。
【００６１】
非円筒の外形の具体的な例を図２に示している。筒体１は、半径１．８ｍｍを有しかつ５個の１８０°の円弧形状の凸部１ｄを内から外向きに形成するように曲げられた０．６ｍｍ厚さの材料のシートを筒体にして構成されている。これらの円弧形状の凸部１ｄの円弧半径の中心は、筒体１の長軸Ａ２周りの半径３．３ｍｍの円周上に等間隔に配置されている。筒体１の外周面には、螺旋形状の１８０度の円弧部分毎に、６回だけ所定方向に捩じられる部分と、それとは逆方向に捩じられる部分とで溝１ｇが構成されている。捩じりは、半径４０ｍｍでピッチは２４ｍｍで形成されている。
【００６２】
次に、アクチュエータ７１の駆動方法について概略説明する。
【００６３】
図６は、アクチュエータ７１の駆動方法を示すフローチャートであり、図７Ａ〜図７Ｇは、アクチュエータ７１の湾曲動作を示す模式的な説明図である。
【００６４】
アクチュエータ７１の駆動方法は、アクチュエータ７１を湾曲させる工程Ｓ１と、アクチュエータ７１を真っ直ぐにさせる工程Ｓ２とを備えている。
【００６５】
まず、アクチュエータ７１を湾曲させる工程Ｓ１において、アクチュエータ７１の内部に流体を供給して加圧する前は、図７Ａに示すように、アクチュエータ７１は定常状態にある。定常状態とは、アクチュエータ７１の内部の流体に予圧をかけていない状態（すなわち、０ＭＰａ）であり、アクチュエータ７１はアクチュエータ長軸Ａ１沿いに真っすぐな状態Ｉとなっている。
【００６６】
そして、図７Ａに示す状態に対して、圧力源７を用いて流体を、例えば０．８５ＭＰａで加圧するようにアクチュエータ７１内にさらに流体を供給する。これにより、図７Ｂに示すように、アクチュエータ７１が湾曲する（図６のＳ１）。圧力に応じて、アクチュエータ７１が異なる外形を持つことになる。例えば、湾曲させる工程Ｓ１では、図７Ａ、図７Ｂ、図７Ｃ及び図７Ｄは、それぞれ、０Ｐａ、０．８５ＭＰａ、０．９ＭＰａ及び１ＭＰａの圧力のときの状態である。
【００６７】
次いで、圧力源７で流体を減圧することで、アクチュエータ７１を元の真っすぐな状態Ｉに戻す（図６のＳ２）。この真っ直ぐさせる工程Ｓ２では、図７Ｅ、図７Ｆ、及び図７Ｇは、それぞれ、０．９Ｐａ、０．８５ＭＰａ、及び０ＭＰａの圧力のときの状態である。
【００６８】
これらのステップＳ１とＳ２とを繰り返すことで、アクチュエータ７１の曲率を変化させる。なお、湾曲する動作（ステップＳ１）及び真っすぐにする動作（ステップＳ２）は一方でもよいし、順序を逆にしてもよい。また、湾曲する動作（ステップＳ１）及び真っすぐにする動作（ステップＳ２）を複数回繰り返してもよい。
【００６９】
次に、アクチュエータ７１の湾曲動作の駆動メカニズムについて説明する。
【００７０】
図８Ａは、アクチュエータ７１に圧力をかけていないときの真っ直ぐな状態Ｉのアクチュエータ７１の図である。図８Ｂは、アクチュエータ７１に圧力をかけたときの湾曲した状態ＩＩのアクチュエータ７１の図である。
【００７１】
ここで、角度αは、螺旋形状の巻き方向と同じ巻き（捩じり）方向の筒体１の左巻きに捩じられた円弧部分１４の両端部の端面間で形成される角度である。角度βは、螺旋形状の巻き方向と反対の巻き（捩じり）方向の筒体１の右巻きに捩じられた円弧部分１５の両端部の端面間で形成される角度である。
【００７２】
図８Ａに示すように、アクチュエータ７１に圧力をかけていないときは、筒体１の左巻きに捩じられた円弧部分１４と右巻きに捩じられた円弧部分１５とには、流体から何ら圧力が作用してないため、角度α＝角度βとなる。
【００７３】
図８Ｂに示すように、アクチュエータ７１に圧力がかけられると、螺旋形状と同じ巻き（捩じり）方向に捩じられた部分の捩じれが緩む。捩じれが緩むことは、アクチュエータ７１の内部空間６に流体が供給されて内部容積が増加することになる。すると、左巻きに捩じられた円弧部分１４の両端部の端面間で形成される角度αが、図８Ａの場合よりも小さくなって、角度α’となる（すなわち、α’＜αとなる）。同時に、螺旋形状と反対の巻き（捩じり）方向に捩じられた部分の捩じれがきつくなる。捩じれがきつくなることは、アクチュエータ７１の内部空間６に流体が供給されて内部容積が減少することになる。すると、右巻きに捩じられた円弧部分１５の両端部の端面間で形成される角度βが、図８Ａの場合よりも大きくなって、角度β’となる（すなわち、β’＞βとなる）。
【００７４】
すなわち、筒体１内に流体を供給して内部空間６を加圧すると、図８Ａにおいて、アクチュエータ７１の右半分側に配置された、右巻きに捩じられた円弧部分１５のそれぞれの捩じれがきつくなって、アクチュエータ長軸Ａ１沿いに隣接する右巻きに捩じられた円弧部分１５が互いに接近する。一方、図８Ａにおいて、アクチュエータ７１の左半分側に配置された、左巻きに捩じられた円弧部分１４のそれぞれの捩じれは緩んでアクチュエータ長軸Ａ１沿いに隣接する左巻きに捩じられた円弧部分１４が互いに離れるように動作する。この結果、図８Ａのアクチュエータ長軸Ａ１に沿った真っ直ぐな状態Ｉから、図８Ｂのアクチュエータ長軸Ａ１に対して湾曲した状態ＩＩまで、湾曲する動作を行うことができる。
【００７５】
このように、アクチュエータ７１において、捩じれが緩む部分１４ときつくなる部分１５との両方が同時に存在する結果、角度αと角度βとが角度α’と角度β’とにそれぞれ変動する。これらの部分１４，１５での変形動作により、アクチュエータ７１の湾曲動作が発生する。
【００７６】
逆に、筒体１内から流体を排出して内部空間６を減圧すると、図８Ａにおいて、アクチュエータ７１の右半分側に配置された、右巻きに捩じられた円弧部分１５のそれぞれの捩じれが緩くなって、アクチュエータ長軸Ａ１沿いに隣接する右巻きに捩じられた円弧部分１５が互いに離れる。一方、図８Ａにおいて、アクチュエータ７１の左半分側に配置された、左巻きに捩じられた円弧部分１４のそれぞれの捩じれの緩みが元の通常状態まで戻り、アクチュエータ長軸Ａ１沿いに隣接する左巻きに捩じられた円弧部分１４が互いに接近するように動作する。この結果、図８Ｂのアクチュエータ長軸Ａ１に対して湾曲した状態ＩＩから、図８Ａのアクチュエータ長軸Ａ１に沿った真っ直ぐな状態Ｉまで、復帰する動作を行うことができる。
【００７７】
次に、アクチュエータ７１に外力７５を加えて伸び変形させる場合について、図９Ａ及び図９Ｂを基に説明する。
【００７８】
アクチュエータ７１は、螺旋形状の長軸Ａ１に沿って外力７５を加えた場合でも、流体の圧力に関係なく、アクチュエータ７１自体の弾性で伸び変形させられる点にも特徴がある。
【００７９】
図９Ａは、外力７５を加える前の、湾曲した状態ＩＩのアクチュエータ７１を示す模式図であり、図９Ｂは、図９Ａの湾曲した状態ＩＩのアクチュエータ７１に外力７５を加えた後の、アクチュエータ７１をアクチュエータ７１を伸ばした状態を示す模式図である。一例として、外力７５は、筒体１の下端端面において、螺旋形状の湾曲した長軸Ａ１沿いに、すなわち、端面沿いに、言い換えれば、筒体１の長軸Ａ２と直交する方向（）に引っ張るように力を加えている。
【００８０】
外力７５により筒体１の下端が筒体１の長軸Ａ２と直交する方向沿いに引っ張られるとき、螺旋形状の巻き方向と同じ巻き（捩じり）方向の筒体１の左巻きに捩じられた円弧部分１４はさらに捩じられる一方、螺旋形状の巻き方向と逆の巻き（捩じり）方向の筒体１の右巻きに捩じられた円弧部分１５の捩じれが緩められる。この結果、図９Ａから図９Ｂに示すように、アクチュエータ７１を、アクチュエータ７１を容易に伸ばすことができる。
【００８１】
逆に、もし外力７５により筒体１の下端が筒体１の長軸Ａ２と直交する方向沿いに押されるとき、螺旋形状の巻き方向と同じ巻き（捩じり）方向の筒体１の左巻きに捩じられた円弧部分１４の捩じれが緩められる一方、螺旋形状の巻き方向と逆の巻き（捩じり）方向の筒体１の右巻きに捩じられた円弧部分１５はさらに捩じられる。この結果、図９Ｂから図９Ａに示すように、アクチュエータ７１を、アクチュエータ７１を容易に縮めることができる。
【００８２】
従って、この例では、アクチュエータ７１を曲げる方向に外力７５を加えた場合に、筒体１の所定方向（例えば左巻）の捩じれにより筒体内部空間６の容積が増える箇所と、逆方向（例えば右巻）の捩じれにより筒体内部空間６の容積が減る箇所との両方ができる。そのため、筒体内部空間６の全体としての容積変化が少なくなり、アクチュエータ７１を容易に曲げることができる。
【００８３】
すなわち、この実施形態では、アクチュエータ７１の容積の増加と減少とが同時に発生しているので、アクチュエータ７１の内部の全体としての容積変化が少なくなり、アクチュエータ７１を図９Ａから図９Ｂに示すように、容易に伸ばすことができる。
【００８４】
つまり、アクチュエータ７１を伸ばして変形させる際の剛性は、流体に作用する圧力にはほぼ依存しないことになり、アクチュエータ７１自体の持つ剛性が支配的となる。よって、アクチュエータ７１として柔軟な材質のものを適用すれば、容易に伸び変形することが可能なアクチュエータ７１を実現できる。
【００８５】
次に、アクチュエータ７１の製造方法について説明する。
【００８６】
マッキベン型のアクチュエータとは異なり、本実施形態のアクチュエータ７１は、単一の材料、例えばナイロンで構成することができる。その理由は、３Ｄプリンターのような積層造形技術で容易に製造することができるためである。
【００８７】
以上、一つまたは複数の態様に係るアクチュエータ７１について、実施の形態に基づいて説明したが、本発明は、この実施の形態に限定されるものではない。本発明の主旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【００８８】
例えば、前述した実施の形態では、流体として水を用いているが、これに限るものではなく、あらゆる既知の液体でも実施可能である。また、液体に限らず圧縮性の流体である各種気体に対しても実施可能である。
【００８９】
また、前述した実施の形態では、圧力源７としてシリンジポンプを用いているが、これに限るものではなく、流体を内部空間に出し入れ可能な圧力源であれば、あらゆる公知技術及びその組み合わせが実現可能である。
【００９０】
また、前述した実施の形態では、筒体１の一端を封止した他端から水を流出入させているが、これに限るものではなく、筒体１の一端からも水を流出入させたり、筒体１の途中に水の流出入口を設けたりしてもよい。水の流出入口を増やすことで、アクチュエータ７１の応答性を高めることができる。
【００９１】
さらに、圧力印加時のアクチュエータ７１の変形は、アクチュエータ７１の長さにかかわらず、一定である必要はない。変形量は、筒体１の材料又は厚さ又は長さ方向の形状を変えることによって調整することができる。例えば、アクチュエータ７１の基端１６と比較して先端１７の材料を柔らかくするか、又は、厚さを薄くするなどすれば、先端での変形量を大きくすることができる。変形量を変えることによって、異なる様式で湾曲するアクチュエータ７１を得ることができる。図１０Ａ〜図１０Ｃはその一例である。より具体的には、図１０Ａでは、変形量が、アクチュエータ７１の基端１６から先端１７に向けて直線的に増加する場合を示している。図１０Ｂでは、変形量が、アクチュエータ７１の全体にわたって一定である場合を示している。図１０Ｃでは、変形量が、アクチュエータ７１の先端１７から基端１６に向けて直線的に増加する場合を示している。これらの３つの場合の平均の変形量は同じである。しかしながら、図１０Ｃでのアクチュエータ７１の先端１７での変形量は、図１０Ａでのアクチュエータ７１の基端１６での変形量の４倍大きい。図１０Ｃでのアクチュエータ７１の基端１６での変形量は、図１０Ｃでのアクチュエータ７１の先端１７での変形量の４倍小さい。
【００９２】
圧力がかけられていないときのアクチュエータ７１の初期形状９は、最大圧力（例えば、１Ｍｐａ）が作用するときの最終形状１０まで、点線の移動経路１１に沿って変化する。
【００９３】
これら３つの場合の図１０Ａ〜図１０Ｃのアクチュエータ７１の最終形状１０を比較すると、変形量の分布に応じて異なる様式でアクチュエータ７１に湾曲動作を行わせることができることがわかる。圧力が０から最大圧力まで増加したときに先端１７が移動する移動経路１１は、３つの場合で異なっている。用途に応じて、タスクの仕様に最も適合するアクチュエータ７１の湾曲動作形状と先端１７の軌跡とを得るように、アクチュエータ７１の変形量を調整することができる。
【００９４】
アクチュエータ７１の変形量の変化は、アクチュエータ７１の長さに沿って直線的に増減するものに限らないことは明らかである。用途に応じて、具体的に様々な変形量を選択することができる。例えば、もしアクチュエータ７１が患者の指の動作のサポートに使用されるならば、サポートされる指の自然な動きに適合した変形量を選択することができる。
【００９５】
さらに、アクチュエータ７１は円筒状の螺旋形状に巻回されるものに限られない。例えば、図１１に示すように、アクチュエータ７１は、円錐状の螺旋形状に巻回されるようにしてもよい。図１１は、基端から先端に向かうに従い直径が小さくなるような円錐状の螺旋形状に巻回されるアクチュエータ７１の例である。このような例では、大きくて頑丈な基端部と組み合わせると、先端の質量を小さくすることができる（アクチュエータ７１が移動するとき、先端がより移動するとき、質量が小さいと最大速度を大きくしやすい）という利点がある。
【００９６】
前記実施形態によれば、筒体１に対する流体の加減による圧力変化により、捩じり方向の向きが互いに異なる部分のうちの一方の部分１５の捩じれがきつくなって剛性が高くなり、剛性が高くなった部分１５が互いに接近する。一方、残りの他方の部分１４の捩じれが緩んで剛性が低くなる。このような動作により、アクチュエータ長軸Ａ１に対してアクチュエータ７１が湾曲動作可能となり、螺旋の中心としてのアクチュエータ長軸Ａ１方向以外の方向への曲げに対する自由な動きを許容できる。
【００９７】
より詳しく説明すれば、例えば、筒体１の内部空間６に対して流体を加えて圧力を増加させるとき、筒体１が外側又は内側に弾性変形して、筒体１の溝１ｇのうち、螺旋形状の巻方向と溝１ｇの捩じれ方向が同じ部分１４では捩じれが緩くなり、筒体１の内部空間６の体積が増加する。一方、螺旋形状の巻方向と溝１ｇの捩じれ方向が反対の部分１５では捩じれがきつくなり、筒体１の内部空間６の体積が減少する。このため、捩じれがきつくなった部分１５が湾曲内側となるように、筒体１がアクチュエータ長軸Ａ１に対して湾曲した湾曲状態ＩＩとなる。逆に、筒体１の内部空間６から流体を排出して圧力を減少させるとき、筒体１が内側又は外側に弾性変形して加圧前の元の形状に戻ろうとし、筒体１の溝１ｇのうち、螺旋形状の巻方向と溝１ｇの捩じれ方向が同じ部分１４では、捩じれが緩んでいた状態から元の非加圧状態に戻り、筒体１の内部空間６の体積が、増加分だけ減少する。一方、螺旋形状の巻方向と溝１ｇの捩じれ方向が反対の部分１５では、きつく捩じれていたのが緩んで元の非加圧状態に戻り、筒体１の内部空間６の体積が、減少分だけ増加する。このため、捩じれがきつくなった部分１５の湾曲動作が解消され、筒体１がアクチュエータ長軸Ａ１沿いに真っ直ぐな状態Ｉに戻る。
【００９８】
この結果、アクチュエータ長軸Ａ１に対してアクチュエータ７１が湾曲可能となり、螺旋の中心としてのアクチュエータ長軸Ａ１方向に伸縮することなく、このアクチュエータ長軸Ａ１方向以外の方向へ自由に湾曲する動きを許容できる。
【００９９】
なお、本発明は前記実施形態に限定されるものではなく、その他種々の態様で実施できる。
【０１００】
例えば、前記した変形量を調整するため、例えば、図１２Ａ〜図１２Ｃに示すように、筒体１の基端１６と先端１７とで厚みを異ならせることもできる。
【０１０１】
また、前記した変形量を調整するため、例えば、図１３Ａ〜図１３Ｃに示すように、筒体１の基端１６と先端１７とで溝１ｇの深さを異ならせることもできる。
【０１０２】
なお、前記様々な実施形態又は変形例のうちの任意の実施形態又は変形例を適宜組み合わせることにより、それぞれの有する効果を奏するようにすることができる。また、実施形態同士の組み合わせ又は実施例同士の組み合わせ又は実施形態と実施例との組み合わせが可能であると共に、異なる実施形態又は実施例の中の特徴同士の組み合わせも可能である。
【産業上の利用可能性】
【０１０３】
本発明の前記態様に係るアクチュエータ、アクチュエータ装置、およびアクチュエータの駆動方法は、人間に近い場所において動作する機械を駆動する人工筋肉アクチュエータとして利用可能であり、衣服のようなウェアラブルなアシスト機器の分野に応用できる。本発明の前記態様は、それ以外にも、外力に対する柔軟性を備えたアクチュエータ、アクチュエータ装置、およびアクチュエータの駆動方法として、また、軽量なアクチュエータ、アクチュエータ装置、およびアクチュエータの駆動方法として利用可能である。
【符号の説明】
【０１０４】
１  筒体
１ａ  筒体の内周面
１ｂ  筒体の外周面
１ｃ  内向き凸部
１ｄ  外向き凸部
１ｇ  溝
２  非円筒形状の外形
５  境界部
６  内部空間
７  圧力源
８  配管
９  アクチュエータの初期形状
１０  アクチュエータの最終形状
１１  アクチュエータの先端の移動経路
１２  接続金具
１３  シールキャップ
１４  左巻きに捩じられた円弧部分
１５  右巻きに捩じられた円弧部分
１６  アクチュエータの基端
１７  アクチュエータの先端
７１  アクチュエータ装置
７２  アクチュエータ
７５  外力
【図１】
2018115754.tif 000003
【図２】
2018115754.tif 000004
【図３】
2018115754.tif 000005
【図４】
2018115754.tif 000006
【図５】
2018115754.tif 000007
【図６】
2018115754.tif 000008
【図７Ａ】
2018115754.tif 000009
【図７Ｂ】
2018115754.tif 000010
【図７Ｃ】
2018115754.tif 000011
【図７Ｄ】
2018115754.tif 000012
【図７Ｅ】
2018115754.tif 000013
【図７Ｆ】
2018115754.tif 000014
【図７Ｇ】
2018115754.tif 000015
【図８Ａ】
2018115754.tif 000016
【図８Ｂ】
2018115754.tif 000017
【図９Ａ】
2018115754.tif 000018
【図９Ｂ】
2018115754.tif 000019
【図１０Ａ】
2018115754.tif 000020
【図１０Ｂ】
2018115754.tif 000021
【図１０Ｃ】
2018115754.tif 000022
【図１１】
2018115754.tif 000023
【図１２Ａ】
2018115754.tif 000024
【図１２Ｂ】
2018115754.tif 000025
【図１２Ｃ】
2018115754.tif 000026
【図１３Ａ】
2018115754.tif 000027
【図１３Ｂ】
2018115754.tif 000028
【図１３Ｃ】
2018115754.tif 000029